(57)【要約】 【課題】  散乱防止ネットが生ゴミ袋に被せてあっても生ゴミ袋と網が直に接しているのでカラスはたやすくその上に乗り、網目から嘴でゴミ袋を破り生ゴミを取り出してしまうという問題があった。本発明は、カラスの極めて強い警戒心と学習能力に着目し為されたものである。【解決手段】  集積された生ゴミ袋に被せる散乱防止網の上に細糸ネットを風で揺らぐほどのたるみを持たせて被せるようにした。また前記散乱防止網と細糸ネットとの網目同士を適宜個所で括りつけ、更に細糸ネットの外周を散乱防止網の枠ロープに括りつけて細糸ネットが風で飛ばないようにした。また前記細糸ネットの細糸を１ｍｍほどの麻糸など自然素材の糸、またはナイロン糸、またはポリオレフィン系の樹脂糸で形成するようにした。また散乱防止ネット６の外周ロープ７をネットの外周から内側に寄せて設けるようにし、さらに前記外周ロープ７の外側ネット部分６ａを一重または二重とした。【選択図】図１
2005272141.tif 000002
【特許請求の範囲】
【請求項１】
集積されたゴミ袋（１）に被せる散乱防止網（２）の上に細糸ネット（３）を風で揺らぐほどのたるみを持たせて被せるようにしたカラス撃退ネット。
【請求項２】
前記散乱防止網（２）と細糸ネット（３）との網目同士を適宜個所で括りつけ、更に細糸ネットの外周を散乱防止網（２）の枠ロープ（４）に括りつけて細糸ネット（３）が風で飛ばないようにした請求項１記載のカラス撃退ネット。
【請求項３】
生ゴミなどを収納するゴミ袋（１）に直に細糸ネット袋（５）を風で揺らぐほどのたるみを持たせて被せるようにしたカラス撃退ネット。
【請求項４】
前記細糸ネット袋（５）の細糸を生ごみ袋（１）の複数箇所に接着または熱溶着した請求項３記載の撃退ネット。
【請求項５】
前記細糸ネット（３）、または細糸ネット袋（５）の細糸を１ｍｍほどの麻糸など自然素材の糸、またはポリオレフィン系の樹脂糸で形成するようにした請求項１及び請求項３記載のカラス撃退ネット。
【請求項６】
前記細糸ネット（３）、または細糸ネット袋（５）の細糸を無色、またはオレンジ色など赤系の色とした請求項１、請求項３及び請求項５記載のカラス撃退ネット。
【請求項７】
散乱防止ネット（６）の外周ロープ（７）をネットの外周から内側に寄せて設けるようにしたカラス撃退ネット。
【請求項８】
前記外周ロープ（７）の外側ネット部分（６ａ）を一重または二重とした請求項７記載のカラス撃退ネット。
【発明の詳細な説明】
【技術分野】
【０００１】
本発明は、カラスによる生ゴミの食い荒らしを防止するためのゴミ袋に被せるカラス撃退ネットに関する。
【背景技術】
【０００２】
従来、ゴミ集積場は周囲を囲ったゴミ置き場を設置して、その中にゴミ袋を収納したり、所定の路上、空き地にゴミ袋を集め、そのゴミ袋全体をゴルフ場や野球場で用いられる防球ネットなどの散乱防止網を被せて、犬、猫またはカラス等によるゴミあさりを防止していた。また特許文献５のように生ゴミ袋にカラス、ねずみに忌避効果のある薬剤を含浸させた網状の綿糸、麻糸、紙紐などを溶着したものが提案されている。
【特許文献１】実開平６−１６３０７号
【特許文献２】特開平１０−１２９８０２号
【特許文献３】実案登録３０８４８８５号
【特許文献４】特開平７−５３００４号
【特許文献５】特開２００２−２５５３０１号
【発明の開示】
【発明が解決しようとする課題】
【０００３】
然しながら例え散乱防止ネットが生ゴミ袋に被せてあっても生ゴミ袋と網が直に接しているのでカラスはたやすくその上に乗り、網目から嘴でゴミ袋を破り生ゴミを取り出してしまうという問題があった。またカラスの嫌う忌避材を含浸させた綿糸、麻糸、紙紐から成るネットを生ゴミ袋に直に溶着しても薬剤効果が薄れるとカラスの飛来は回避できなかった。またカラスは頭がよくネットの外周ロ−プを持ち上げ中に入り、生ごみをあさった後、ロープをまた持ち上げて外に出ることも多く見られる。かかるロープ持ち上げに対向する手段を提供する。
【課題を解決するための手段】
【０００４】
本発明は、カラスの極めて強い警戒心と学習能力に着目し為されたものである。すなわちカラスなど鳥類は細くキラキラ光るものに強い警戒心を持ち、また一度危険な状態を経験すると二度とその場に近づかない習性がある。また２本足で歩く鳥類は片足を持ち上げるときは指先を握り締めるようにし、下ろす時はその直前に指先を開く習性に着目して為されたものである。
【０００５】
本発明のカラス撃退ネットは、請求項1記載のように集積された生ゴミ袋１に被せる散乱防止網２の上に細糸ネット３を風で揺らぐほどのたるみを持たせて被せるようにしたことを特徴とする。
【０００６】
また請求項２記載のように、前記散乱防止網２と細糸ネット3との網目同士を適宜個所で括りつけ、更に細糸ネットの外周を散乱防止網２の枠ロープ４に括りつけて細糸ネット３が風で飛ばないようにした。
【０００７】
また請求項３記載のように、生ゴミなどを収納するゴミ袋１に直に細糸ネット袋５を風で揺らぐほどのたるみを持たせて被せるようにした。
【０００８】
さらに請求項４記載のように、前記細糸ネット袋５の細糸を生ごみ袋１の複数箇所に接着または熱溶着して容易に外れないようにした。
【０００９】
また請求項５記載のように、前記細糸ネット３または細糸ネット袋５の細糸を１ｍｍほどの麻糸など自然素材の糸、またはポリオレフィン系の樹脂糸で形成するようにした。
【００１０】
さらに請求項６記載のように、前記細糸ネット３、または細糸ネット袋５の細糸を無色、またはオレンジ色など赤系の色とした。
【００１１】
また請求項７に記載のように、散乱防止ネット６の外周ロープ７をネットの外周から内側に寄せて設けるようにし、さらに請求項８に記載のように前記外周ロープ７の外側ネット部分６ａを一重または二重とした。
【発明の効果】
【００１２】
集積されたゴミ袋に被せる従来の散乱防止網の上にさらにキラキラ光る細糸ネットを風で揺らぐほどのたるみを持たせて被せるようにするか、または直に生ゴミ袋に細糸ネットを風で揺らぐほどのたるみを持たせて被せるようにしたからカラスが近づいても警戒して止まることが無く、また仮に止まっても被せた細い糸がカラスの羽根や体に接触したり、また足に絡みついたりするのでカラスは他のカラスにも危険を伝えて以後、長期間に亘りカラスの接近を防止することが出来る。またカラスがネットの外周ロープを持ち上げてもその外周ロープの外側ネット部分が垂れ下がりカラスはネット内へ入ることが出来ない。さらにこの外側のネット部分を二重にすると垂れ下がり効果が増して一層カラスはネット内へ入ることが出来ないなどの効果がある。
【発明を実施するための最良の形態】
【００１３】
本発明のカラス撃退ネットは、実施例１のように集積されたゴミ袋に被せる散乱防止網の上に細糸ネットを被せるようにし、そして細糸が風で揺らぐようにたるみを持たせて被せるようにした。または実施例２のように生ゴミ袋に直に細糸ネットを風に揺らぐほどたるませた状態で被せるようにした。更に実施例３のようにネットの外周ロ−プをネットの内方に来るようにしてカラスがロープを持ち上げてネット内に侵入するのを防止するようにした。
【実施例１】
【００１４】
本発明の第１の実施例を図１〜図３に示す図面に基づき説明する。本発明のカラス撃退ネットは、集積された生ゴミ袋１に被せる従来の散乱防止網２の上にさらに風で揺らぐほどの細糸ネット３をたるみを持たせて被せたものである。そしてこの細糸ネット３は無色のナイロン糸、またはポリエチレン、ポリプロピレンなどポリオレフィン系樹脂糸の１ｍｍほどのものを縦横３０ｍｍ〜５０ｍｍの網目に形成し、この細糸ネット３を散乱防止網２に被せ、細糸ネット３の細糸を散乱防止網２の網目の複数個所に風に揺らぐほどのたるみを持たせて括りつけ、更に細糸ネットの外周を散乱防止網２の周囲に巻きまわされる枠ロープ４に括りつけ一体化したものである。またこの細糸はカラスの嫌うオレンジ色など赤系の糸としても良く、材質は麻糸など自然素材のものでも良いが、ナイロンテグス等のきらきら光る糸であることが望ましい。また散乱防止ネットとしては、野球やゴルフ練習場で用いられる市販の防球ネットを使用する。
【００１５】
そしてカラスが飛来して細糸ネット３を被せた生ゴミ袋の上に止まろうとするが、細糸が生ゴミ袋を覆う散乱防止網２の網目の上でキラキラと揺らいでいるので警戒して近づかないか、止まったとしてもカラスが歩き回ると細糸が足にまつわりついて糸をちぎらない限り飛びたてず騒ぐので他のカラスは警戒して近づかず、以降、危険を学習してカラスは生ゴミ集積場に近づかなくなる。
【実施例２】
【００１６】
本発明の第２の実施例は、図４及び図５に示すように生ゴミ袋１を風で揺らぐほどのたるみを持たせた細い糸で形成された細糸ネット袋５で直に被うようにしたものである。すなわち網目を風で揺らぐほどのたるみを持たせた細糸ネット袋５を生ゴミ袋に被せ、網目の適宜の個所を生ゴミ袋１に接着または熱溶着したものである。尚、細糸ネット袋５の細糸は、第１実施例と同様の素材、同サイズのものを使用する。
【実施例３】
【００１７】
本発明の第３の実施例は、集積された生ゴミ袋を覆う散乱防止ネットの外周ロープを持ち上げてネット内にカラスが容易に入らないようにするために、図６に示すように散乱防止ネット６の外周ロープ７を外周から内方に２０ｃｍ〜３０ｃｍ寄せて設けるようにした。従ってカラスがロープ７を持ち上げてもその外周ロープ７の外側ネット部分６ａが垂れ下がりカラスはネット内へ入ることが出来ない。尚、図７に示すようにこの外側のネット部分６ａを二重にすると垂れ下がり効果が増して一層カラスはネット内へ入ることが出来ない。
【図面の簡単な説明】
【００１８】
【図１】本発明実施例１の細糸ネットを被せた状態を示す一部切り欠き斜視図である。
【図２】図１の中央側断面図である。
【図３】実施例１の散乱防止網の上に細糸ネットを被せた全体斜視図である。
【図４】実施例２の細糸ネット袋と生ゴミ袋の斜視図である。
【図５】生ゴミ袋に細糸ネット袋を被せた状態説明図である。
【図６】実施例３の散乱防止ネットの平面図である。
【図７】図６のＡＡ線断面図である。
【図８】生ゴミ袋に実施例３の散乱防止ネットを被せた状態説明図である。
【符号の説明】
【００１９】
１  生ゴミ袋
２  散乱防止網
３  細糸ネット
４  散乱防止網の枠ロープ
５  細糸ネット袋
６  散乱防止ネット
７  外周ロープ
【図１】
2005272141.tif 000003
【図２】
2005272141.tif 000004
【図３】
2005272141.tif 000005
【図４】
2005272141.tif 000006
【図５】
2005272141.tif 000007
【図６】
2005272141.tif 000008
【図７】
2005272141.tif 000009
【図８】
2005272141.tif 000010